(57)【要約】【課題】  本発明は、プリント配線を保護する表層フィルムに切り込みを設けることにより故意にシールを剥がす際に配線が破断することにより不正を検知する電磁誘導式封印シールを提供することを目的とするものである。【解決手段】  本発明は、処理結果読取装置１のコイル２に電流を流すことにより磁界を発生させ、この磁界による電磁誘導によってプリント配線されるコイル状のアンテナ３に電流が発生し、この電流によってアンテナ３に接続されるＩＣチップ４を起動させて入力される情報を読み取る電磁誘導式封印シールにおいて、該電磁誘導式封印シール５上面にアンテナ３を横切るように複数のミシン目１０を形成し、該電磁誘導式封印シール５を対象物より剥ぎ取る場合に前記アンテナ３が破断するごとき構成とする【選択図】          図２
2006293462.tif 000002
【特許請求の範囲】
【請求項１】
処理結果読取装置のコイルに電流を流すことにより磁界を発生させ、この磁界による電磁誘導によってプリント配線されるコイル状のアンテナに電流が発生し、この電流によってアンテナに接続されるＩＣチップを起動させて入力される情報を読み取る電磁誘導式封印シールにおいて、
前記電磁誘導式封印シール上面にアンテナを横切るように複数のミシン目を形成し、該電磁誘導式封印シールを対象物より剥ぎ取る場合に前記アンテナが破断するごとき構成とする
ことを特徴とする電磁誘導式封印シール。
【請求項２】
前記アンテナ間に、該アンテナの両側に沿って電磁誘導式封印シール上面より切り目を形成する
ことを特徴とする請求項１記載の電磁誘導式封印シール。
【発明の詳細な説明】
【技術分野】
【０００１】
本発明は、電子封印シールに関する。詳しくは物品を封印するシールを故意に剥がそうとする場合に、プリント配線が破断されて異常が検出される電磁誘導式封印シールに係るものである。
【背景技術】
【０００２】
封印シールは、所定の状態に保持すべき物品に対して外部から変更が加えられるのを防止または感知するために、物品の外面の適当な場所に貼付されるものである。例えば、最近のパチンコ機械等の遊技機械は、プログラムに基づいて所定の動作をするコンピュータ制御が採用されているが、プログラムを変更することにより出球の状態を大幅に変化させることが可能となる。
【０００３】
そのため、外部からプログラムに変更が加えられるのを防止しあるいは異常の発生を検知するために、例えばプログラムの格納部を（ＲＯＭ等）をカバー等で覆い、このカバーに上記封印シールを貼付する。
【０００４】
そこで制御基板のプログラムを変更したり、ＲＯＭを取り替えたりしようとする場合には、封印シールを剥離したり、切断したりして封印を解除することが必要となり、それ故に封印シールの状態に変化がないか視認することにより、不正が行われたかどうかを判断することができる。
【０００５】
しかし前記のような目視による封印シールの状態変化の有無の判定では、きわめて薄い鋭利な刃物等により巧妙にシールを切断された場合や、特殊な溶解剤によって接着材部分を溶解してシールを剥がされた場合には目視による判定が非常に困難となる問題があった。
【０００６】
そこでこれらの問題点に鑑みて例えば図５に示すような発明がある。この発明に係る封印シールは、プリント配線板１０１を有し、接着層の接着材に溶解しやすい材料スクリーン印刷することにより回路パターンを形成する封印シールまたは、少なくとも２つの分離独立した回路１０２，１０３が形成されており、第１の回路１０２は上面の第１パターン１０４と底面の第２パターン１０５とからなり、第２の回路１０３は上面の第３パターン１０６と底面の第４パターン１０７とからなり、第１パターン１０４と第４パターン１０７、及び第２パターン１０５と第３パターン１０６とを平面上の同一位置に形成してある封印シールから構成される（特許文献１参照。）。
【０００７】
【特許文献１】特開２００１−３３７６０５号公報（要約書、第１図）
【発明の開示】
【発明が解決しようとする課題】
【０００８】
しかしながら前記特許文献１に係る発明では、故意に溶解剤によって接着材を溶解させたり、または鋭利な針などの導電性の部材を回路に刺し込んだときに上面と底面の同一位置にある第１パターンと第４パターン間又は第２パターンと第３パターン間が短絡することで不正を認識するものであるが、これらの不正を検出する場合には検出装置の接続端子と封印シールの接続端同士を接続して電流を流すことで配線パターンが破断しているのを検出するものである。
【０００９】
したがってパチンコ台の前面扉を開いて、検出装置によりパチンコ台ごとに検査を行わなければならず非常に煩雑な作業となる問題がある。
【００１０】
また、接着層の接着材に溶解しやすい材料スクリーン印刷するには特殊な技術を要することになり、さらに上面と底面の同一位置にある第１パターンと第４パターン間又は第２パターンと第３パターンをプリントするには高等な精度を必要とし、生産工程において歩留まりが悪く頻繁に取り替えが行われる封印シールにあってはコスト高となる問題がある。
【００１１】
本発明は、以上の点に鑑みて創案されたものであって、プリント配線を保護する表層フィルムに切り込みを設けることにより故意にシールを剥がす際に配線が破断することにより不正を検知する電磁誘導式封印シールを提供することを目的とするものである。
【課題を解決するための手段】
【００１２】
上記の目的を達成するために、本発明に係る電磁誘導式封印シールは、処理結果読取装置のコイルに電流を流すことにより磁界を発生させ、この磁界による電磁誘導によってプリント配線されるコイル状のアンテナに電流が発生し、この電流によってアンテナに接続されるＩＣチップを起動させて入力される情報を読み取る電磁誘導式封印シールにおいて、
前記電磁誘導式封印シール上面にアンテナを横切るように複数のミシン目を形成し、該電磁誘導式封印シールを対象物より剥ぎ取る場合に前記アンテナが破断するごとき構成とする。
【００１３】
ここで、電磁誘導式封印シールを粘着力に抗しながら対象物より剥ぎ取ろうとした場合には、粘着力の強弱などによってアンテナはミシン目によって破談し、アンテナに電流が流れなくなり、処理結果読取装置によりＩＣチップに入力された情報を読み取ることができなくなり、その結果不正を検出することができる。
【００１４】
また、アンテナ間に、該アンテナの両側に沿って電磁誘導式封印シール上面より切り目を形成することにより、電磁誘導式封印シールを粘着力に抗しながら対象物より剥ぎ取ろうとした場合には、切り目によってアンテナ間のシート部分のみが対象物に貼着し、アンテナ部分が剥ぎ取られることにより、アンテナが捩れて破断することにより電流が流れなくなり、処理結果読取装置によりＩＣチップに入力された情報を読み取ることができなくなり、その結果不正を検出することができる。
【発明の効果】
【００１５】
以上の構成よりなる本発明では、封印シールを故意に剥がそうとする場合に表層フィルムに切り込みを設けた部分以外から剥れるために、ねじれが生じて配線が破断することで不正を検出することができる。
【００１６】
また、電磁誘導式であるために直接に封印シールに接続して検知するものではなく、例えばパチンコ台の外部より不正の検出を行うことができ、非常に作業効率が良くなる。
【発明を実施するための最良の形態】
【００１７】
以下、本発明の実施の形態を図面を参酌しながら説明し、本発明の理解に供する。
図１は、電磁誘導式封印シールの動作原理を示す説明図である。
【００１８】
処理結果読取装置（リーダ・ライター）１のコイル２に電流を流すことにより磁界を発生させる。そしてこの磁界による電磁誘導によって封印シール２にプリント配線されるコイル状のアンテナ３に電流が発生し、この電流によってアンテナ３に接続されるＩＣチップ４が起動する。
【００１９】
そこでＩＣチップ４の起動によりＩＣチップ４に入力される各種処理情報を処理結果読取装置（リーダ・ライター）１によって非接触により読み取ることによって電磁誘導式封印シールを貼っている対象物の認識を行うものである。このＩＣチップ４には設定コードが入力されており、例えば不正により電磁誘導式封印シールが取り替えられた場合には、処理結果読取装置（リーダ・ライター）１によって不正が検出されることになる。
【００２０】
ここで電磁誘導式封印シール５は図２および図３に示すように、剥離紙６上面に粘着剤７が塗布される基盤シート８が粘着される。そしてこの基盤シート８上にアルミエッチング処理などによってアンテナ３が基盤シート８の外周より内側に向けて螺旋状に蒸着されＩＣチップ４に接続される。
【００２１】
次に、前記アンテナ３およびＩＣチップ４上にフィルム９を覆着する。これによりアンテナ３およびＩＣチップ４は基盤シート８およびフィルム９によって介装された状態となる。
【００２２】
これにより電磁誘導式封印シール５を対象物に貼着する場合には、剥離紙６上面より基盤シート８を剥がし、対象物に対して基盤シート８下面に塗布される粘着剤７によって電磁誘導式封印シール５を貼着するものである。
【００２３】
したがって、粘着剤７の性能によっては対象物から電磁誘導式封印シール５を剥ぎ取って対象物への不正を行い、再び貼り直すことも可能となる。
【００２４】
そこで図２に示すように、フィルム９上面より基盤シート８下面に達するミシン目１０を格子状に形成するものである。このミシン目１０によってアンテナ３は完全に破断するのではなく、一部分が接続された状態となっている。
【００２５】
これにより、剥離紙６上面より基盤シート８を剥がし、対象物に対して基盤シート８下面に塗布される粘着剤７によって電磁誘導式封印シール５を貼着する。この状態では、アンテナ３はミシン目１０によって一部が接続されているために、電磁誘導によりアンテナ２には電流が生起することになる。
【００２６】
ここで、基盤シート８を粘着剤７の粘着力に抗しながら対象物より剥ぎ取ろうとした場合には、粘着剤７の強弱などによってアンテナ３はミシン目１０によって破談し、アンテナ３に電流が流れなくなり、処理結果読取装置（リーダ・ライター）１によりＩＣチップ４に入力された情報を読み取ることができなくなり、その結果不正を検出することができる。
【００２７】
また、図４に示すように、螺旋状に形成されるアンテナ３の両側に沿ってフィルム９上面より基盤シート８下面に達する切り目１１を、一定間隔ごとに繋がった状態で形成するものである。
【００２８】
これにより、剥離紙６上面より基盤シート８を剥がし、対象物に対して基盤シート８下面に塗布される粘着剤７によって電磁誘導式封印シール５を貼着する。この状態ではアンテナ３は破断されていないために電磁誘導によりアンテナ３には電流が生起することになる。
【００２９】
ここで、基盤シート８を粘着剤７の粘着力に抗しながら対象物より剥ぎ取ろうとした場合には、切り目１１によってアンテナ３間の基盤シート８部分のみが対象物に貼着し、アンテナ３部分が剥ぎ取られることにより、アンテナ３が捩れて破断することになり、電流が流れなくなり、処理結果読取装置（リーダ・ライター）１によりＩＣチップ４に入力された情報を読み取ることができなくなり、その結果不正を検出することができる。
【００３０】
なお、電磁誘導式封印シール５を貼着する場合に、基盤シート８下面に対してところどころに強力接着剤を塗布して対象物に貼着することによって対象物より剥ぎ取る際には粘着力の強弱が大きくなることでアンテナ３が破断しやすくなり、より一層の効果を得ることができる。
【００３１】
また、電磁誘導式封印シールを貼着する対象物としては、パチンコやスロットマシン等の遊技機械の他に、飛行場にて手荷物を預ける場合や郵便物などの対象物に対しても活用することができる。
【００３２】
なお、本実施例で示すようにアンテナの両側に沿ってフィルム上面より基盤シート下面に達する切り目を、必ずしも一定間隔ごとに繋がった状態で形成する必要性はないが、対象物に電磁誘導式封印シールを貼着する場合に切り目によってアンテナが捩れることがあるために、定間隔ごとに繋がった状態とすることが望ましい。
【００３３】
また、前記切り目は必ずしも全てのアンテナの両側に沿って形成する必要性はなく、不正により電磁誘導式封印シールを剥がす際に、アンテナが捩れて破断するものであれば良い。
【図面の簡単な説明】
【００３４】
【図１】本発明における電磁誘導式封印シールの動作原理を示す説明図である。
【図２】本発明を適用した電磁誘導式封印シールの一例を示す平面説明図である。
【図３】図２における断面説明図である。
【図４】本発明を適用した電磁誘導式封印シールの他の例を示す平面説明図である。
【図５】従来の封印シールの一例を示す説明図である。
【符号の説明】
【００３５】
１      処理結果読取装置
２      コイル
３      アンテナ
４      ＩＣチップ
５      電磁誘導式封印シール
６      剥離紙
７      粘着剤
８      基盤シート
９      フィルム
１０    ミシン目
１１    切り目
【図１】
2006293462.tif 000003
【図２】
2006293462.tif 000004
【図３】
2006293462.tif 000005
【図４】
2006293462.tif 000006
【図５】
2006293462.tif 000007